【手続補正書】
【提出日】平成29年10月17日(2017.10.17)
【手続補正１】
【補正対象書類名】特許請求の範囲
【補正対象項目名】全文
【補正方法】変更
【補正の内容】
【特許請求の範囲】
【請求項１】
本質安全電圧クランプ装置であって、
安定化レールと、
グラウンドレールと、
前記安定化レールと前記グラウンドレールの双方に接続され、１つ以上の調整部品を含むシャントレギュレータ集成体であって、前記安定化レールと前記グラウンドレールの間に印加される電圧を安全クランプ電圧の値にクランプするように構成されたシャントレギュレータ集成体と、
電力検出部品であって、
（１）少なくとも１つの前記調整部品の温度が閾値を超えると、前記少なくとも１つの前記調整部品で消費される電力を１つ以上の制限部品によって減少させるように構成された熱作動部品、または
（２）電流検出抵抗であって、前記電流検出抵抗に流れる電流が閾値を超えると、前記少なくとも１つの前記調整部品で消費される電力を１つ以上の制限部品によって減少させるように構成された電流検出抵抗、を含む電力検出部品と、
を備える本質安全電圧クランプ装置。
【請求項２】
前記安定化レール、前記グラウンドレール、前記シャントレギュレータ集成体、前記電力検出部品及び前記制限部品が、２本のリードを備えた装置パッケージ内に共に一体化されている、請求項１の本質安全電圧クランプ装置。
【請求項３】
前記安定化レール、前記グラウンドレール、前記シャントレギュレータ集成体、前記電力検出部品及び前記制限部品が、２本より多いリードを備えた装置パッケージ内に共に一体化されている、請求項１に記載の本質安全電圧クランプ装置。
【請求項４】
前記装置パッケージが電力トランジスタパッケージである、請求項３に記載の本質安全電圧クランプ装置。
【請求項５】
前記電力検出部品が前記熱作動部品であり、前記熱作動部品が物理的近接によって前記１つ以上の調整部品と熱的に結合されている、請求項１に記載の本質安全電圧クランプ装置。
【請求項６】
前記電力検出部品が前記熱作動部品であり、前記熱作動部品が熱接着剤によって前記１つ以上の調整部品と熱的に結合されている、請求項１に記載の本質安全電圧クランプ装置。
【請求項７】
前記１つ以上の調整部品が第１トランジスタを含み、前記１つ以上の制限部品が第２トランジスタを含む、請求項１に記載の本質安全電圧クランプ装置。
【請求項８】
前記電力検出部品が前記電流検出抵抗であり、前記電流検出抵抗は、前記電流検出抵抗で検出される前記電流が前記閾値を超えると、前記第２トランジスタによって前記第１トランジスタを飽和モードへと移行させるように構成されている、請求項７に記載の本質安全電圧クランプ装置。
【請求項９】
プロセス制御装置であって、
第１端子及び第２端子を備えた装置部品であって、前記装置部品の前記第１端子と前記第２端子の間に電圧が印加されているときにエネルギーを蓄える装置部品と、
前記装置部品に電気的に接続された２つ以上の電圧クランプ装置であって、各電圧クランプ装置が他の前記電圧クランプ装置と並列に配置されていると共に、各電圧クランプ装置が前記装置部品に印加される前記電圧を安全クランプ電圧にクランプするように構成されており、各電圧クランプ装置が、
１つ以上の調整部品を含むシャントレギュレータ集成体、及び
温度または電流が閾値を超えると、少なくとも１つの前記調整部品で消費される電力を１つ以上の制限部品によって減少させるように構成された電力検出部品を備える電圧クランプ装置と、
を備えるプロセス制御装置。
【請求項１０】
前記１つ以上の調整部品が第１トランジスタを含み、前記１つ以上の制限部品が第２トランジスタを含む、請求項９に記載のプロセス制御装置。
【請求項１１】
前記２つ以上の電圧クランプ装置のそれぞれが、２本の外部電気リードを備えた装置パッケージ内に一体化されている、請求項１０に記載のプロセス制御装置。
【請求項１２】
前記２つ以上の電圧クランプ装置のそれぞれが、２本の主外部電気リード及び１本以上の副外部電気リードを備えた装置パッケージ内に一体化されている、請求項１０に記載のプロセス制御装置。
【請求項１３】
前記装置パッケージの前記副外部電気リードは、前記装置パッケージ内部のいずれにも電気的に接続されていない、請求項１２に記載のプロセス制御装置。
【請求項１４】
前記電力検出部品が熱作動部品であり、前記熱作動部品が温度センサ及び増幅器を含む、請求項１０に記載のプロセス制御装置。
【請求項１５】
前記電力検出部品が熱作動部品であり、前記熱作動部品がサーミスタを含む、請求項１０に記載のプロセス制御装置。
【請求項１６】
前記電力検出部品が電流検出抵抗であり、前記電流検出抵抗は、前記電流検出抵抗に流れる電流が閾値を超えると、前記１つ以上の調整部品で消費される電力を前記１つ以上の制限部品によって減少させるように構成されている、請求項１０に記載のプロセス制御装置。
【請求項１７】
電圧クランプ装置であって、
安定化レールと、
グラウンドレールと、
１つ以上の調整部品を含むシャントレギュレータ集成体であって、安定化レールとグラウンドレールの間に印加される電圧を安全クランプ電圧の値にクランプするように構成されたシャントレギュレータ集成体と、
少なくとも１つの前記調整部品で消費される電力を１つ以上の制限部品によって減少させるように構成された電力検出部品と、
を備える電圧クランプ装置。
【請求項１８】
前記電力検出部品は、前記少なくとも１つの前記調整部品で消費される電力を１つ以上の制限部品によって減少させるように構成された熱作動部品である、請求項１７に記載の電圧クランプ装置。
【請求項１９】
前記電力検出部品は、前記少なくとも１つの前記調整部品で消費される電力を１つ以上の制限部品によって減少させるように構成された電流検出抵抗である、請求項１７に記載の電圧クランプ装置。
【請求項２０】
前記電圧クランプ装置は、本質安全装置用に定められた規格に適合する、請求項１７に記載の電圧クランプ装置。
【請求項２１】
前記１つ以上の調整部品が第１トランジスタを含み、前記１つ以上の制限部品が第２トランジスタを含む、請求項１７に記載の電圧クランプ装置。
【手続補正２】
【補正対象書類名】明細書
【補正対象項目名】００４５
【補正方法】変更
【補正の内容】
【００４５】
[0045]図３Ａ〜３Ｃは、一定数の個別部品、リード及び接続種類を示しているが、任意の数及び組み合わせの部品、リード及び接続種類を装置パッケージが含み得ることは明らかである。例えば、装置パッケージは、安定化レール及びグラウンドレールにそれぞれ接続された２本、３本、５本などのリードを含んでもよく、（例えば、電源に接続された）２本の主要電気リードに加えて、０本、１本、２本などの電気リードを含んでもよい。
［発明の項目］
［項目１］
本質安全電圧クランプ装置であって、
安定化レールと、
グラウンドレールと、
前記安定化レールと前記グラウンドレールの双方に接続され、１つ以上の調整部品を含むシャントレギュレータ集成体であって、前記安定化レールと前記グラウンドレールの間に印加される電圧を安全クランプ電圧の値にクランプするように構成されたシャントレギュレータ集成体と、
電力検出部品であって、
（１）少なくとも１つの前記調整部品の温度が閾値を超えると、前記少なくとも１つの前記調整部品で消費される電力を１つ以上の制限部品によって減少させるように構成された熱作動部品、または
（２）電流検出抵抗であって、前記電流検出抵抗に流れる電流が閾値を超えると、前記少なくとも１つの前記調整部品で消費される電力を１つ以上の制限部品によって減少させるように構成された電流検出抵抗、を含む電力検出部品と、
を備える本質安全電圧クランプ装置。
［項目２］
前記安定化レール、前記グラウンドレール、前記シャントレギュレータ集成体、前記電力検出部品及び前記制限部品が、２本のリードを備えた装置パッケージ内に共に一体化されている、項目１の本質安全電圧クランプ装置。
［項目３］
前記装置パッケージが、前記２本のリードを介し、少なくとも１つの冗長な装置パッケージであって、前記冗長な装置パッケージに印加される前記電圧を冗長な安全クランプ電圧の値にクランプするように構成された少なくとも１つの冗長な装置パッケージに接続されている、項目１または２の本質安全電圧クランプ装置。
［項目４］
前記安定化レール、前記グラウンドレール、前記シャントレギュレータ集成体、前記電力検出部品及び前記制限部品が、２本より多いリードを備えた装置パッケージ内に共に一体化されている、項目１〜３のいずれか１項の本質安全電圧クランプ装置。
［項目５］
前記装置パッケージの２本のリードが前記安定化レールと前記グラウンドレールにそれぞれ電気的に接続されており、余剰なリードは、前記リード間を任意の組み合わせで短絡しても前記本質安全電圧クランプ装置の電圧クランプ機能を妨げないように構成されている、項目１〜４のいずれか１項の本質安全電圧クランプ装置。
［項目６］
前記装置パッケージが電力トランジスタパッケージである、項目１〜５のいずれか１項の本質安全電圧クランプ装置。
［項目７］
前記電力検出部品が前記熱作動部品であり、前記熱作動部品が物理的近接によって前記１つ以上の調整部品と熱的に結合されている、項目１〜６のいずれか１項の本質安全電圧クランプ装置。
［項目８］
前記電力検出部品が前記熱作動部品であり、前記熱作動部品が熱接着剤によって前記１つ以上の調整部品と熱的に結合されている、項目１〜７のいずれか１項の本質安全電圧クランプ装置。
［項目９］
前記１つ以上の調整部品が第１トランジスタを含み、前記１つ以上の制限部品が第２トランジスタを含む、項目１〜８のいずれか１項の本質安全電圧クランプ装置。
［項目１０］
前記少なくとも１つの前記調整部品で消費される前記電力を減少させることは、前記第２トランジスタを作動させて、前記安定化レールと前記グラウンドレールの間に印加される前記電圧を、前記安全クランプ電圧の値よりも絶対値が小さい第２電圧にクランプすることを含む、項目１〜９のいずれか１項の本質安全電圧クランプ装置。
［項目１１］
前記電力検出部品が前記電流検出抵抗であり、前記電流検出抵抗は、前記電流検出抵抗で検出される前記電流が前記閾値を超えると、前記第２トランジスタによって前記第１トランジスタを飽和モードへと移行させるように構成されている、項目１〜１０のいずれか１項の本質安全電圧クランプ装置。
［項目１２］
プロセス制御装置であって、
第１端子及び第２端子を備えた装置部品であって、前記装置部品の前記第１端子と前記第２端子の間に電圧が印加されているときにエネルギーを蓄える装置部品と、
前記装置部品に電気的に接続された２つ以上の電圧クランプ装置であって、各電圧クランプ装置が他の前記電圧クランプ装置と並列に配置されていると共に、各電圧クランプ装置が前記装置部品に印加される前記電圧を安全クランプ電圧にクランプするように構成されており、各電圧クランプ装置が、
１つ以上の調整部品を含むシャントレギュレータ集成体、及び
温度または電流が閾値を超えると、少なくとも１つの前記調整部品で消費される電力を１つ以上の制限部品によって減少させるように構成された電力検出部品を備える電圧クランプ装置と、
を備えるプロセス制御装置。
［項目１３］
前記１つ以上の調整部品が第１トランジスタを含み、前記１つ以上の制限部品が第２トランジスタを含む、項目１２のプロセス制御装置。
［項目１４］
前記少なくとも１つの前記調整部品で消費される前記電力を減少させることは、前記第２トランジスタを作動させて、前記装置部品に印加される前記電圧を、前記安全クランプ電圧の値よりも絶対値が小さい第２電圧にクランプすることを含む、項目１２または１３のプロセス制御装置。
［項目１５］
前記２つ以上の電圧クランプ装置のそれぞれが、２本の外部電気リードを備えた装置パッケージ内に一体化されている、項目１２〜１４のいずれか１項のプロセス制御装置。
［項目１６］
前記２つ以上の電圧クランプ装置のそれぞれが、２本の主外部電気リード及び１本以上の副外部電気リードを備えた装置パッケージ内に一体化されている、項目１２〜１５のいずれか１項のプロセス制御装置。
［項目１７］
前記装置パッケージの前記副外部電気リードは、前記装置パッケージ内部のいずれにも電気的に接続されていない、項目１２〜１６のいずれか１項のプロセス制御装置。
［項目１８］
前記電力検出部品が熱作動部品であり、前記熱作動部品が温度センサ及び増幅器を含む、項目１２〜１７のいずれか１項のプロセス制御装置。
［項目１９］
前記電力検出部品が熱作動部品であり、前記熱作動部品がサーミスタを含む、項目１２〜１８のいずれか１項のプロセス制御装置。
［項目２０］
前記電力検出部品が電流検出抵抗であり、前記電流検出抵抗は、前記電流検出抵抗に流れる電流が閾値を超えると、前記１つ以上の調整部品で消費される電力を前記１つ以上の制限部品によって減少させるように構成されている、項目１２〜１９のいずれか１項のプロセス制御装置。
［項目２１］
電圧クランプ装置であって、
安定化レールと、
グラウンドレールと、
１つ以上の調整部品を含むシャントレギュレータ集成体であって、安定化レールとグラウンドレールの間に印加される電圧を安全クランプ電圧の値にクランプするように構成されたシャントレギュレータ集成体と、
少なくとも１つの前記調整部品で消費される電力を１つ以上の制限部品によって減少させるように構成された電力検出部品と、
を備える電圧クランプ装置。
［項目２２］
前記電力検出部品は、前記少なくとも１つの前記調整部品で消費される電力を１つ以上の制限部品によって減少させるように構成された熱作動部品である、項目２１の電圧クランプ装置。
［項目２３］
前記電力検出部品は、前記少なくとも１つの前記調整部品で消費される電力を１つ以上の制限部品によって減少させるように構成された電流検出抵抗である、項目２１または２２の電圧クランプ装置。
［項目２４］
前記電圧クランプ装置は、本質安全装置用に定められた規格に適合する、項目２１〜２３のいずれか１項の電圧クランプ装置。
［項目２５］
前記１つ以上の調整部品が第１トランジスタを含み、前記１つ以上の制限部品が第２トランジスタを含む、項目２１〜２４のいずれか１項の電圧クランプ装置。